(57)【要約】      （修正有）【課題】火災の発生を防止する、ショッピングカートに用いる拡大鏡を提供する。【解決手段】ショッピングカートに用いる拡大鏡１０は、レンズ及びレンズを保持する枠体２２から成る拡大鏡本体１２と、不透明板と、不透明板と拡大鏡本体とを両者が重なる不使用位置と両者が重ならない使用位置との間で移動できるように連結する手段１６と、ショッピングカートのハンドル部材又は該ハンドル部材に連なる部材に前記拡大鏡本体又は前記不透明板を取り付ける取付手段１８とを含む【選択図】図１
0003156113.tif 000002
【実用新案登録請求の範囲】
【請求項１】
ショッピングカートに用いる拡大鏡であって、レンズ及び該レンズを保持する枠体から成る拡大鏡本体と、不透明板と、該不透明板と前記拡大鏡本体とを両者が重なる不使用位置と両者が重ならない使用位置との間で移動できるように連結する手段と、前記ショッピングカートのハンドル部材又は該ハンドル部材に連なる部材に前記拡大鏡本体又は前記不透明板を取り付ける取付手段とを含む、ショッピングカート用拡大鏡。
【請求項２】
前記使用位置に移動した前記拡大鏡本体又は前記不透明板を前記不使用位置に復帰させる復帰手段を含む、請求項１に記載のショッピングカート用拡大鏡。
【請求項３】
ショッピングカートに用いる拡大鏡であって、レンズ及び該レンズを保持する枠体であって第１のピン穴が設けられた突出部を有する枠体から成る拡大鏡本体と、前記第１のピン穴に整合する第２のピン穴を有し、前記拡大鏡本体の上側又は下側に配置された不透明板と、前記第１及び第２のピン穴に通され、前記拡大鏡本体と前記不透明板とを連結する連結ピンと、前記連結ピンの周りに配置され、一端が前記拡大鏡本体に他端が前記不透明板にそれぞれ固定されたコイルばねと、前記ショッピングカートのハンドル部材又は前記ハンドル部材に連なる部材に前記拡大鏡本体又は前記不透明板を取り付ける取付手段とを含む、ショッピングカート用拡大鏡。
【請求項４】
前記コイルばねのばね力を緩衝する緩衝手段を含む、請求項３に記載のショッピングカート用拡大鏡。
【請求項５】
前記コイルばねのばね力を緩衝する緩衝手段は、前記連結ピンが配置された中空部材と、該中空部材の両端が突出した状態で配置された円筒部材とを含み、
前記中空部材の端部は前記拡大鏡本体の前記突出部に固定され、前記円筒部材は前記第２のピン穴に受け入れられて、前記不透明板に固定され、又は前記中空部材の端部は前記不透明板に固定され、前記円筒部材は前記第１のピン穴に受け入れられて、前記拡大鏡本体に固定され、
前記中空部材は外周面に間隔をおいて設けられた複数の板状片を有し、前記円筒部材は、両端を閉鎖する端板を有し、前記円筒部材と前記中空部材との間に油が満たされている、請求項４に記載のショッピングカート用拡大鏡。
【請求項６】
前記第１のピン穴及び前記第２のピン穴の軸線は、前記レンズの軸線に直交する面に平行であるようにそれぞれ前記拡大鏡本体及び前記不透明板に設けられている、請求項３ないし５に記載のショッピングカート用拡大鏡。
【請求項７】
前記第１のピン穴及び前記第２のピン穴の軸線は、前記レンズの軸線と平行であるようにそれぞれ前記拡大鏡本体及び前記不透明板に設けられている、請求項３ないし５に記載のショッピングカート用拡大鏡。
【請求項８】
前記第１のピン穴及び前記第２のピン穴の軸線は、前記レンズの軸線に直交する面と交差するようにそれぞれ前記拡大鏡本体及び前記不透明板に設けられている、請求項３ないし５に記載のショッピングカート用拡大鏡。
【請求項９】
ショッピングカートに用いる拡大鏡であって、レンズ及び該レンズを保持する枠体であって、相対する両側部に溝を有する枠体から成る拡大鏡本体と、該拡大鏡本体の上側又は下側に配置された不透明板であって、前記溝に摺動可能に嵌合された複数の突出部を有する不透明板と、前記溝と平行に配置され、一端が前記拡大鏡本体に他端が前記不透明板にそれぞれ固定されたコイルばねと、前記ショッピングカートのハンドル部材又は前記ハンドル部材に連なる部材に前記拡大鏡本体又は前記不透明板を取り付ける取付手段とを含む、ショッピングカート用拡大鏡。
【考案の詳細な説明】
【技術分野】
【０００１】
本考案は、商品の包装等に記載された情報を確認するためにショッピングカートで用いる拡大鏡に関する。
【背景技術】
【０００２】
従来、食品メーカーや小売店は、商標、食品の生産者、生産地、消費期限、材料、添加物、成分等の情報を食品の包装に記載し、又はそれらの情報を記載したシールを食品の包装に貼り付けるなどして、食品に関する情報を消費者に提供している。食品に限らず、小売店で販売している飲料、調味料、雑貨品等の商品についても同様である。
【０００３】
しかし、上記の商品に関する情報は、商品の外観を整えるために商品の包装に情報を記載する箇所の広さや大きさが限られており、商標や消費期限などの一部の情報を除いて比較的小さい文字で記載される。このため、小さい文字で記載された情報は、通常の視力を有する者にとっても正確に読み取ることが困難な場合がある。
【０００４】
このことから、買い物に使用されるショッピングカートに取り付けられる拡大鏡が提案されている（特許文献１）。
【先行技術文献】
【特許文献】
【０００５】
【特許文献１】特開２００３−１５４９４０号公報
【０００６】
特許文献１に記載された、ショッピングカートに用いる拡大鏡は、レンズ及び該レンズを保持する枠体を有する拡大鏡本体と、拡大鏡本体をショッピングカートに取り付ける取付具とを備える。
【０００７】
この拡大鏡は、ショッピングカートのハンドル部又はハンドル部に隣接するショッピングカートの構造部材に取り付けられ、商品の包装に記載された小さい文字を拡大して見るために使用される。
【０００８】
ところで、ショッピングカートは、店内だけでなく、屋外でも使用される。例えば、ショッピングカートは、購入した商品を店外の駐車場に止めた車に運ぶために使用される。ときに、使用されたショッピングカートが、小売店の屋外に放置されることがある。
【０００９】
ショッピングカートが商品を車に向けて運んでいるとき、商品を車に積み替えているとき、ショッピングカートがショッピングカート置き場に戻されずに屋外に放置されたとき、あるいは屋外に設けられたショッピングカート置き場に置かれているとき、ショッピングカートに取り付けられた拡大鏡のレンズに日光が入射することがある。レンズに入射した日光はレンズの焦点位置に集光され、レンズの焦点位置に商品等の可燃物があるとき、集光された光が可燃物を加熱し、発火させ、火災を発生させるおそれがある。
【００１０】
したがって、ショッピングカートで使用する拡大鏡は、火災の発生を防止するため、拡大鏡を使用するときレンズで物を見ることができ、拡大鏡を使用しないときレンズが光を集光することができないようにする必要がある。
【考案の概要】
【考案が解決しようとする課題】
【００１１】
本考案の目的は、拡大鏡による火災の発生を防止することにある。
【課題を解決するための手段】
【００１２】
本考案は、上記の目的を達成するために、レンズを光が透過する使用位置と光が透過しない不使用位置との間を動くことができるようにすることを基本構想とする。
【００１３】
したがって、本考案に係る、ショッピングカートに用いる拡大鏡は、レンズ及び該レンズを保持する枠体から成る拡大鏡本体と、不透明板と、該不透明板と前記拡大鏡本体とを両者が重なる不使用位置と両者が重ならない使用位置との間で移動できるように連結する手段と、前記ショッピングカートのハンドル部材又は該ハンドル部材に連なる部材に前記拡大鏡本体又は前記不透明板を取り付ける取付手段とを含む。
【００１４】
前記拡大鏡は、前記使用位置に移動した前記拡大鏡本体又は前記不透明板を前記不使用位置に復帰させる復帰手段を含むことができる。
【００１５】
本考案に係る、拡大鏡は、レンズ及び該レンズを保持する枠体であって第１のピン穴が設けられた突出部を有する枠体から成る拡大鏡本体と、前記第１のピン穴に整合する第２のピン穴を有し、前記拡大鏡本体の上側又は下側に配置された不透明板と、前記第１及び第２のピン穴に通され、前記拡大鏡本体と前記不透明板とを連結する連結ピンと、前記連結ピンの周りに配置され、一端が前記拡大鏡本体に他端が前記不透明板にそれぞれ固定されたコイルばねと、前記ショッピングカートのハンドル部材又は前記ハンドル部材に連なる部材に前記拡大鏡本体又は前記不透明板を取り付ける取付手段とを含む。
【００１６】
前記拡大鏡は、前記コイルばねのばね力を緩衝する緩衝手段を含むことができる。前記緩衝手段は、前記連結ピンが配置された中空部材と、該中空部材の両端が突出した状態で配置された円筒部材とを含むことができる。前記中空部材の端部は、前記拡大鏡本体の前記突出部に固定され、前記円筒部材は前記第２のピン穴に受け入れられて、前記不透明板に固定される。これに代えて、前記中空部材の端部は、前記不透明板に固定され、前記第１のピン穴に受け入れられ、前記拡大鏡本体に固定されても良い。いずれの場合においても前記中空部材は外周面に間隔をおいて設けられた複数の板状片を有し、前記円筒部材は、両端を閉鎖する端板を有し、前記円筒部材と前記中空部材との間に油が満たされている。
【００１７】
前記第１のピン穴及び前記第２のピン穴の軸線は、前記レンズの軸線に直交する面に平行であるようにそれぞれ前記拡大鏡本体及び前記不透明板に設けられていてもよいし、また前記レンズの軸線と平行であるようにそれぞれ前記拡大鏡本体及び前記不透明板に設けられていてもよいし、さらに前記レンズの軸線に直交する面と交差するようにそれぞれ前記拡大鏡本体及び前記不透明板に設けられていてもよい。
【００１８】
本考案に係る、拡大鏡は、レンズ及び該レンズを保持する枠体であって、相対する両側部に溝を有する枠体から成る拡大鏡本体と、該拡大鏡本体の上側又は下側に配置された不透明板であって、前記溝に摺動可能に嵌合された複数の突出部を有する不透明板と、前記溝と平行に配置され、一端が前記拡大鏡本体に他端が前記不透明板にそれぞれ固定されたコイルばねと、前記ショッピングカートのハンドル部材又は前記ハンドル部材に連なる部材に前記拡大鏡本体又は前記不透明板を取り付ける取付手段とを含む。
【考案の効果】
【００１９】
本考案によれば、拡大鏡を使用するとき、拡大鏡本体及び不透明板は互いに重ならない使用位置にあり、レンズで物を見ることができ、拡大鏡を使用しないとき、拡大鏡本体及び不透明板は互いに重なった不使用位置にあり、レンズを光が透過することを防ぎ、レンズが集光することによる火災の発生を防止することができる。
【図面の簡単な説明】
【００２０】
【図１】本考案に係る第１の実施例の側面図。
【図２】第１の実施例の平面図。
【図３】図２における線３−３に沿って得た断面図。
【図４】図２における線４−４に沿って得た断面図。
【図５】図４に示す復帰手段の変形例を示す断面図。
【図６】拡大鏡本体が使用位置にある第１の実施例の側面図。
【図７】ショッピングカートに取り付けた第１の実施例の側面図。
【図８】図１に示す取付手段の変形例を示す側面図。
【図９】本考案に係る第２の実施例の側面図。
【図１０】本考案に係る第３の実施例の平面図。
【図１１】本考案に係る第４の実施例の側面図。
【図１２】拡大鏡本体が使用位置にある第４の実施例の側面図。
【図１３】拡大鏡本体が使用位置にある第４の実施例の平面図。
【図１４】図１３における線１４−１４に沿って得た断面図。
【図１５】図１３における線１５−１５に沿って得た断面図。
【図１６】本考案に係る第５の実施例の側面図。
【考案を実施するための形態】
【００２１】
以下、本考案の実施の形態について、詳細に説明する。
【実施例１】
【００２２】
図１に示す本考案に係るショッピングカート用拡大鏡１０は、拡大鏡本体１２と、該拡大鏡本体の下側に配置された不透明板１４と、拡大鏡本体１２と前記不透明板１４とを連結する連結ピン１６と、不透明板１４をショッピングカートのハンドル部材４６に取り付ける取付部１８とを備える。
【００２３】
図１及び図２を参照するに、拡大鏡本体１２は、レンズ２０と、該レンズの周りに配置され、前記レンズを保持する枠体２２とを備える。枠体２２は、樹脂材料で円形に形成されており、間隔をおいて配置された２つの突出部２４を有する。突出部２４は、レンズ２０の軸線に直交する面に平行な軸線を有する第１のピン穴２６を備える。
【００２４】
図３を参照するに、レンズ２０は、凸レンズである。レンズ２０はフレネルレンズでもよい。
【００２５】
枠体２２は、該枠体の内側に凹状部２３を有し、該凹状部にレンズ２０の縁部を嵌め込むことにより、レンズ２０を保持している。枠体２２は、図示の円形に代え、矩形に形成してもよい。
【００２６】
図２及び図４を参照するに、不透明板１４は、光を透過しない樹脂材料で円形に形成されている。不透明板１４は、図示の円形に代え、矩形に形成してもよい。不透明板１４は、拡大鏡本体１２の２つの突出部２４の間に位置する突出部１５を有する。突出部１５は、突出部２４に設けられた第１のピン穴２６に整合する第２のピン穴２８を有する。
【００２７】
拡大鏡本体１２は、第１のピン穴２６と該ピン穴に整合する第２のピン穴２８とに通された連結ピン１６により不透明板１４と連結され、該不透明板に対して連結ピン１６の周りに角度的に回転することができる。したがって、拡大鏡本体１２は、該拡大鏡本体と不透明板１４とが重なった不使用位置（図１）と両者が重ならない使用位置（図６）との間を動くことができる。
【００２８】
拡大鏡本体１２が前記不使用位置にあるとき、不透明板１４は、拡大鏡本体１２の下側に配置されるため、光がレンズを透過することを防ぎ、レンズの集光による火災の発生を防止することができる。
【００２９】
拡大鏡１０は、第２のピン穴２８に受け入れられ、連結ピン１６の周りに配置されたコイルばね３０を備える。コイルばね３０の一端３０ａは拡大鏡本体１２に固定され、他端３０ｂは不透明板１４にそれぞれ固定されている。
【００３０】
コイルばね３０は、拡大鏡本体１２を不透明板１４に対して連結ピン１６の周りに角度的に回転させたとき、ねじられることによりばね力を発生させる。コイルばね３０に発生したばね力は、前記使用位置にある拡大鏡本体１２を不透明板１４に対して連結ピン１６の周りに角度的に回転させ、前記不使用位置に復帰させる。拡大鏡本体１２に作用するばね力は、拡大鏡本体１２を不透明板１４と重なった前記不使用位置に常時保持する。コイルばね３０のばね力に抗した、使用者の力が拡大鏡本体１２に作用するとき、拡大鏡本体１２は前記使用位置を占める。拡大鏡本体１２に作用する使用者の力が取り除かれたとき、拡大鏡本体１２は前記不使用位置に復帰する。
【００３１】
拡大鏡１０は、拡大鏡本体１２を不透明板１４に対して勢いよく前記使用位置から前記不使用位置に復帰させるコイルばね３０を使用するとき、拡大鏡１０の使用者の指を挟んだり、レンズ２０を損傷させるおそれがある。これを防止するため、拡大鏡１０は、コイルばね３０のばね力を緩衝する緩衝手段３２を備える。
【００３２】
図５を参照するに、緩衝手段３２は、第２のピン穴２８に受け入れられ、不透明板１４に固定された円筒部材３４と、該円筒部材に配置された中空部材３６とを備える。中空部材３６の両端部は、円筒部材３４から突出している。
【００３３】
円筒部材３４は、該円筒部材の外周面に設けられた突出部３５と第２のピン穴２８の内周面に設けられた溝２９とを結合することにより不透明板１４に固定されている。円筒部材３４は、該円筒部材の両端を閉鎖する端板３７を有す。
【００３４】
中空部材３６は、該中空部材の中空部分３６ａに連結ピン１６が配置され、中空部材３６の端部３６ｂは外周面の一部が切り欠かれている。中空部材３６は、中空部材３６の端部３６ｂが拡大鏡本体１２の突出部２４に設けられた溝２５に受け入れられ、拡大鏡本体１２に固定されている。中空部材３６は、該中空部材の外周面に間隔をおいて設けられた複数の板状片３８を有す。
【００３５】
端板３７により両端が閉じられた円筒部材３４と該円筒部材中の中空部材３６との間すなわち円筒部材３４の内周面と中空部材３６の外周面との間に空間３９が形成されている。空間３９には油が満たされている。
【００３６】
中空部材３６は、拡大鏡本体１２が不透明板１４に対して前記使用位置から前記不使用位置に復帰するとき、不透明板１４に固定された円筒部材３４に対して回転する。このとき、前記油と板状片３８との間に前記油の粘性により摩擦力が発生する。このため、中空部材３６には、円筒部材３４に対して抵抗する力が発生する。これにより、中空部材３６は、拡大鏡本体１２を前記使用位置から前記不使用位置に復帰させるコイルばね３０のばね力を緩衝する。
【００３７】
図６を参照するに、拡大鏡本体１２及び不透明板１４は、ショッピングカートのハンドル部材４６に取付手段１８により取り付けられている。取付手段１８は、第１の取付部材４０と、第２の取付部材４２と、第１の取付部材４０と第２の取付部材４２とを接続するねじ４４とを備える。
【００３８】
第１の取付部材４０は、該第１の取付部材の一端４１が不透明板１４の下側に取り付けられている。第１の取付部材４０の他端は、Ｕ字状に形成された受け部４８と、穴を有する突出部４９と、受け部４８と突出部４９との間に半円状の凹状部５０とを備える。
【００３９】
第２の取付部材４２は、該第２の取付部材の一端が第１の取付部材４０の受け部４８に係合されたＵ字状の鉤部５２を備え、前記第２の取付部材の他端がねじ穴５３ａを有する突出部５３を備え、両端間に第１の取付部材の凹状部５０と向かい合う半円状の凹状部５４を備える。
【００４０】
拡大鏡１０をショッピングカートのハンドル部材４６に取り付けるとき、ハンドル部材４６を第１の取付部材４０の凹状部５０と第２の取付部材４２の凹状部５４との間に挟み込み、ねじ４４を第２の取付部材４２の突出部５３のねじ穴５３ａにねじこむ。
【００４１】
図７を参照するに、ショッピングカートのハンドル部材４６に取り付けられた拡大鏡１０は、取付手段１８のねじ４４を緩めることにより、ショッピングカートのハンドル部材４６の周りに角度的に回転できる。これにより、拡大鏡１０は、該拡大鏡を使用しやすい姿勢に調整することができる。
【００４２】
図８を参照するに、拡大鏡本体１２及び不透明板１４は、ショッピングカートのハンドル部材に連なる部材７０に取付手段５６により取り付けられている。取付手段５６は、支柱取付部５８と、Ｌ字状の支柱６０と、第１の取付部材６２と、第２の取付部材６６と、第１の取付部材６２と第２の取付部材６６とを接続するねじ６８とを備える。
【００４３】
支柱取付部５８は、不透明板１４の下側に配置され、支柱６０の一端６０ａと接続されている。支柱６０の他端６０ｂは、第１の取付部材６２の一端にねじ６４により固定されている。
【００４４】
拡大鏡１０をショッピングカートのハンドル部材に連なる部材７０に取り付けるとき、部材７０を第１の取付部材６２と第２の取付部材６６との間に挟み込む。次に第１の取付部材６２と第２の取付部材６６とをねじ６８により結合する。
【００４５】
拡大鏡１０は、取付手段５６のねじ６４を緩めることにより、拡大鏡１０を使用しやすい姿勢に調整することができる。
【実施例２】
【００４６】
図９に示す本考案に係るショッピングカート用拡大鏡１０は、拡大鏡本体１２と、該拡大鏡本体の上側に配置された不透明板１４と、拡大鏡本体１２と不透明板１４とを連結する連結ピン１６と、拡大鏡本体１２をショッピングカートのハンドル部材４６に取り付ける取付手段１８とを備える。拡大鏡１０は、不透明板１４が拡大鏡本体１２の上側に配置されているという点で第１の実施例と異なる。
【００４７】
不透明板１４が前記不使用位置にあるとき、不透明板１４は、拡大鏡本体１２の上側に配置される。
【実施例３】
【００４８】
図１０に示す本考案に係るショッピングカート用拡大鏡１０は、拡大鏡本体１２と、該拡大鏡本体の下側に配置された不透明板１４と、拡大鏡本体１２と不透明板１４とを連結する連結ピン１６と、不透明板１４をショッピングカートのハンドル部材４６に取り付ける取付手段１８とを備える。
【００４９】
拡大鏡本体１２は、前記レンズの軸線に平行な軸線を有する第１のピン穴２６を備えているという点で第１の実施例と異なる。
【００５０】
不透明板１４は、図示しないが第１のピン穴８４に整合する第２のピン穴を備えている。上記の例に代え、第１のピン穴の軸線及び第２のピン穴の軸線は、レンズ９０の軸線に直交する面に交差してもよい。
【００５１】
拡大鏡本体１２は、第１のピン穴２６と第２のピン穴とに通された連結ピン１６により不透明板１４に連結され、不透明板１４に対して連結ピン１６の軸線の周りに時計方向及び反時計方向に角度的に回転することができる。したがって、拡大鏡本体１２は、該拡大鏡本体と不透明板１４とが重なった不使用位置と両者が重ならない使用位置との間を動くことができる。拡大鏡本体１２が不使用位置にあるとき、拡大鏡本体１２は、不透明板１４の上側に配置される。
【実施例４】
【００５２】
図１１ないし図１４に示す本考案に係るショッピングカート用拡大鏡１０は、拡大鏡本体１２と、該拡大鏡本体の下側に配置された不透明板１４と、該不透明板をショッピングカートのハンドル部材４６に取り付ける取付手段１８とを備える。
【００５３】
拡大鏡本体１２は、レンズ２０と、枠体２２とを備える。枠体２２は、正方形に形成され、一辺に平行に配置された一対の溝８０を備える。
【００５４】
不透明板１４は、長方形に形成され、該不透明板の面から面外に突出する突出部８２が設けられている。突出部８２は拡大鏡本体１２の溝８０に滑動可能に受け入れられている。
【００５５】
拡大鏡本体１２は、不透明板１４に対して拡大鏡本体１２と不透明板１４とが重なった不使用位置と両者が重ならない使用位置との間を動くことができる。拡大鏡本体１２が前記不使用位置にあるとき、拡大鏡本体１２は、不透明板１４の上側に配置される。
【００５６】
図示の例に代え、拡大鏡本体１２が突出部を有し、不透明板１４が溝を有してもよい。
【００５７】
図１５を参照するに、拡大鏡１０は、コイルバネ３０を備える。コイルばね３０は、溝８０内に配置されている。コイルバネ３０の一端３０ａは溝８０の端部に設けられたピン８４に固定され、他端３０ｂは不透明板１４の端部に設けられたピン８６に固定されている。コイルばね３０は突出部８２と整列する。コイルばね３０は、拡大鏡本体１２が不透明板１４に対して両者が重なった位置から両者が重ならない使用位置へ動くとき、拡大鏡本体１２が動く方向に伸びる。コイルばね３０は、前記使用位置にある拡大鏡本体１２をそのばね力により前記不使用位置に復帰させる。
【実施例５】
【００５８】
図１６に示す本考案に係るショッピングカート用拡大鏡１０は、拡大鏡本体１２と、該拡大鏡本体の上側に配置された不透明板１４と、拡大鏡本体１２をショッピングカートのハンドル部材４６に取り付ける取付部１８とを備える。拡大鏡１０は、不透明板１４が拡大鏡本体１２の上側に配置されているという点で第４の実施例と異なる。
【００５９】
不透明板１４は、拡大鏡本体１２に対して該拡大鏡本体と不透明板１４とが重なった不使用位置と両者が重ならない使用位置との間を動くことができる。不透明板１４が前記不使用位置にあるとき、不透明板１４は拡大鏡本体１２の上側に配置されている。
【００６０】
拡大鏡本体１２と不透明板１４とが重ならない使用位置は、拡大鏡本体１２に対して図１６上左上方としてもよいし、同図上右下方としてもよい。
【符号の説明】
【００６１】
１０        拡大鏡
１２        拡大鏡本体
１４        不透明板
１６        連結ピン
１８、５６  取付手段
２０        レンズ
２２        枠体
２４        拡大鏡本体の突出部
２６        第１のピン穴
２８        第２のピン穴
３０        コイルばね
３０ａ      コイルばねの一端
３０ｂ      コイルばねの他端
３２        緩衝手段
３４        円筒部材
３６        中空部材
３６ｂ      中空部材の端部
３７        端板
３８        板状片
３９        円筒部材と中空部材との間の空間
４６        ショッピングカートのハンドル部材
７０        ショッピングカートのハンドル部材に連なる部材
８０        溝
８２        突出部
【図１】
0003156113.tif 000003
【図２】
0003156113.tif 000004
【図３】
0003156113.tif 000005
【図４】
0003156113.tif 000006
【図５】
0003156113.tif 000007
【図６】
0003156113.tif 000008
【図７】
0003156113.tif 000009
【図８】
0003156113.tif 000010
【図９】
0003156113.tif 000011
【図１０】
0003156113.tif 000012
【図１１】
0003156113.tif 000013
【図１２】
0003156113.tif 000014
【図１３】
0003156113.tif 000015
【図１４】
0003156113.tif 000016
【図１５】
0003156113.tif 000017
【図１６】
0003156113.tif 000018
【手続補正書】
【提出日】平成21年10月14日(2009.10.14)
【手続補正１】
【補正対象書類名】実用新案登録請求の範囲
【補正対象項目名】全文
【補正方法】変更
【補正の内容】
【実用新案登録請求の範囲】
【請求項１】
ショッピングカートに用いる拡大鏡であって、レンズ及び該レンズを保持する枠体から成る拡大鏡本体と、不透明板と、該不透明板と前記拡大鏡本体とを両者が重なる不使用位置と両者が重ならない使用位置との間で移動できるように連結する手段と、前記ショッピングカートのハンドル部材又は該ハンドル部材に連なる部材に前記拡大鏡本体又は前記不透明板を取り付ける取付手段とを含む、ショッピングカート用拡大鏡。
【請求項２】
前記使用位置に移動した前記拡大鏡本体又は前記不透明板を前記不使用位置に復帰させる復帰手段を含む、請求項１に記載のショッピングカート用拡大鏡。
【請求項３】
ショッピングカートに用いる拡大鏡であって、レンズ及び該レンズを保持する枠体であって第１のピン穴が設けられた突出部を有する枠体から成る拡大鏡本体と、前記第１のピン穴に整合する第２のピン穴を有し、前記拡大鏡本体の上側又は下側に配置された不透明板と、前記第１及び第２のピン穴に通され、前記拡大鏡本体と前記不透明板とを連結する連結ピンと、前記連結ピンの周りに配置され、一端が前記拡大鏡本体に他端が前記不透明板にそれぞれ固定されたコイルばねと、前記ショッピングカートのハンドル部材又は前記ハンドル部材に連なる部材に前記拡大鏡本体又は前記不透明板を取り付ける取付手段とを含む、ショッピングカート用拡大鏡。
【請求項４】
前記コイルばねのばね力を緩衝する緩衝手段を含む、請求項３に記載のショッピングカート用拡大鏡。
【請求項５】
前記コイルばねのばね力を緩衝する緩衝手段は、前記連結ピンが配置された中空部材と、該中空部材の両端が突出した状態で配置された円筒部材とを含み、
前記中空部材の端部は前記拡大鏡本体の前記突出部に固定され、前記円筒部材は前記第２のピン穴に受け入れられて、前記不透明板に固定され、又は前記中空部材の端部は前記不透明板に固定され、前記円筒部材は前記第１のピン穴に受け入れられて、前記拡大鏡本体に固定され、
前記中空部材は外周面に間隔をおいて設けられた複数の板状片を有し、前記円筒部材は、両端を閉鎖する端板を有し、前記円筒部材と前記中空部材との間に油が満たされている、請求項４に記載のショッピングカート用拡大鏡。
【請求項６】
前記第１のピン穴及び前記第２のピン穴の軸線は、前記レンズの軸線に直交する面に平行であるようにそれぞれ前記拡大鏡本体及び前記不透明板に設けられている、請求項３ないし５のいずれか１項に記載のショッピングカート用拡大鏡。
【請求項７】
前記第１のピン穴及び前記第２のピン穴の軸線は、前記レンズの軸線と平行であるようにそれぞれ前記拡大鏡本体及び前記不透明板に設けられている、請求項３ないし５のいずれか１項に記載のショッピングカート用拡大鏡。
【請求項８】
前記第１のピン穴及び前記第２のピン穴の軸線は、前記レンズの軸線に直交する面と交差するようにそれぞれ前記拡大鏡本体及び前記不透明板に設けられている、請求項３ないし５のいずれか１項に記載のショッピングカート用拡大鏡。
【請求項９】
ショッピングカートに用いる拡大鏡であって、レンズ及び該レンズを保持する枠体であって、相対する両側部に溝を有する枠体から成る拡大鏡本体と、該拡大鏡本体の上側又は下側に配置された不透明板であって、前記溝に摺動可能に嵌合された複数の突出部を有する不透明板と、前記溝と平行に配置され、一端が前記拡大鏡本体に他端が前記不透明板にそれぞれ固定されたコイルばねと、前記ショッピングカートのハンドル部材又は前記ハンドル部材に連なる部材に前記拡大鏡本体又は前記不透明板を取り付ける取付手段とを含む、ショッピングカート用拡大鏡。